(57)【要約】      （修正有）【課題】外面の磨耗および掠め取りを防止可能な掠め取り防止機能付き樹脂製包装ケースを提供する。【解決手段】互いに対応する第一表面２２と第二表面２４とを有する樹脂製シート１２と、樹脂製シートの一端から伸びたシートで形成され、樹脂製シートを中空体のように曲げて粘着して品物を収納可能な内部空間を形成するために、表面が樹脂製シートの第二表面と連接される連接部１４と、樹脂製シートの第一表面に設けられた模様層１６と、模様層の外面に硬化可能な塗料を塗布して形成された被覆層１８とを含む。【選択図】図３
0003133974.tif 000002
【実用新案登録請求の範囲】
【請求項１】
互いに対応する第一表面と第二表面とを有する樹脂製シートと、
前記樹脂製シートの一端から伸びたシートで形成され、前記樹脂製シートを中空体のように曲げて粘着して品物を収納可能な内部空間を形成するために、表面が前記樹脂製シートの他端の第二表面と連接される連接部と、
前記樹脂製シートの第一表面に設けられた模様層と、
前記模様層の外面に硬化可能な塗料を塗布して形成された被覆層と、
を含むことを特徴とする掠め取り防止機能付き樹脂製包装ケース。
【請求項２】
前記樹脂製シートの作製材料は、ポリ塩化ビニール、ポリエチレン・テレフタレート、ポリプロピレンまたはミラ（ＭＩＬＡ）の一または二以上であることを特徴とする請求項１に記載の掠め取り防止機能付き樹脂製包装ケース。
【請求項３】
前記被覆層は、ポリアミンエステル（ＰＵ）系の物質とイソシアン酸系の物質とから構成された化合物で形成されることを特徴とする請求項１又は請求項２に記載の掠め取り防止機能付き樹脂製包装ケース。
【請求項４】
前記樹脂製シートで形成される容器は円柱形状を呈することを特徴とする請求項１又は請求項２に記載の掠め取り防止機能付き樹脂製包装ケース。
【請求項５】
前記樹脂製シートで形成される容器は円柱形状を呈することを特徴とする請求項３に記載の掠め取り防止機能付き樹脂製包装ケース。
【請求項６】
前記樹脂製シートで形成される容器は直方形状を呈することを特徴とする請求項１又は請求項２に記載の掠め取り防止機能付き樹脂製包装ケース。
【請求項７】
前記樹脂製シートで形成される容器は方形状を呈することを特徴とする請求項３に記載の掠め取り防止機能付き樹脂製包装ケース。
【考案の詳細な説明】
【技術分野】
【０００１】
本考案は包装ケースに係り、特に模様が印刷された樹脂製包装ケースに関するものである。
【背景技術】
【０００２】
目下、一般の紙製包装ケースには紙製シートの一端に粘着辺が設けられ、前記粘着辺が前記紙製シートの他端に粘着され、これにより、内部空間を持つ容器が形成され、そして、その外面には収納された商品の広告および取扱い方法などの模様が印刷され、前記粘着辺が前記紙製包装ケースの内側面に粘着され、これにより、全体の外観が綺麗になり、模様の表示も遮られなくなる。
上記の紙製包装ケースの他には、図１と図２とに示す従来の樹脂製包装ケースがある。従来の樹脂製包装ケース９０は、透明な樹脂製シート９１の一端に粘着辺９２が設けられ、前記粘着辺９２が前記シート９１の他端に粘着され、これにより内部空間を持つ容器が形成され、その外面には模様が印刷される。印刷用塗料は樹脂製品に付着し難いため、模様９３が樹脂製包装ケース９０の外面に印刷されると運搬や使用などの原因で模様９３が剥離し易く全体の外観が落ちるため、模様９３は樹脂製包装ケース９０の内面に印刷すべきであるが、樹脂製包装ケース９０の内面に印刷された模様９３の外面に粘着辺９２を粘着すると、模様９３が粘着剤に引かれる場合には粘着辺９２が離脱し易い。そのため粘着辺９２は樹脂製包装ケース９０の外面に粘着すべきであるが、樹脂製包装ケース９０は外面が平坦にならず、全体の外観が落とされ、ユーザに傷付けられ易く、また樹脂製包装ケース９０の外面が掠め取られたと、模様９３がぼんやりになる。
【考案の開示】
【考案が解決しようとする課題】
【０００３】
本考案の主な目的は、外面の磨耗および掠め取りを防止可能な掠め取り防止機能付き樹脂製包装ケースを提供することにある。
本考案の次の目的は、構造の強度が向上され、使用の安全性も向上される掠め取り防止機能付き樹脂製包装ケースを提供することにある。
【課題を解決するための手段】
【０００４】
上記目的を達成するために、本考案では互いに対応する第一表面と第二表面とを有する樹脂製シートと、前記樹脂製シートの一端から伸びたシートで形成され、前記樹脂製シートを中空体のように曲げて粘着して品物が収納可能な内部空間を形成するために、その表面が前記樹脂製シートの他端の第二表面と連接される連接部と、前記樹脂製シートの第一表面に設けられた模様層と、前記模様層の外面に硬化可能な塗料を塗布して形成された被覆層とを含むことを特徴とする掠め取り防止機能付き樹脂製包装ケースであることを要旨としている。
本考案では、前記樹脂製シートの作製材料は、ポリ塩化ビニール、ポリエチレン・テレフタレート、ポリプロピレンまたはミラ（ＭＩＬＡ）の一または二以上であることを特徴とする請求項１に記載の掠め取り防止機能付き樹脂製包装ケースであることを要旨としている。
本考案では、前記被覆層は、ポリアミンエステル（ＰＵ）系の物質とイソシアン酸系の物質とから構成された化合物で形成されることを特徴とする請求項１又は請求項２に記載の掠め取り防止機能付き樹脂製包装ケースであることを要旨としている。
本考案では、前記樹脂製シートで形成される容器は円柱形状を呈することを特徴とする請求項１又は請求項２に記載の掠め取り防止機能付き樹脂製包装ケースであることを要旨としている。
本考案では、前記樹脂製シートで形成される容器は円柱形状を呈することを特徴とする請求項３に記載の掠め取り防止機能付き樹脂製包装ケースであることを要旨としている。
本考案では、前記樹脂製シートで形成される容器は直方形状を呈することを特徴とする請求項１又は請求項２に記載の掠め取り防止機能付き樹脂製包装ケースであることを要旨としている。
本考案では、前記樹脂製シートで形成される容器は方形状を呈することを特徴とする請求項３に記載の掠め取り防止機能付き樹脂製包装ケースであることを要旨としている。
【考案の効果】
【０００５】
本考案の掠め取り防止機能付き樹脂製包装ケースによれば、次のような効果がある。
（イ）被覆層１８の保護により、模様層１６を包装ケース１の外面に設けてもよく、連接部１４を包装ケース１の内側面に粘着することができるため、本考案では構造の強度が向上され、使用の安全性も向上される。
（ロ）被覆層１８の保護により、本考案では掠め取りを防止可能な表面を有するため、包装ケース１の外面の磨耗および掠め取りを防止可能になる。
（ハ）本考案で使用される樹脂製シート１２は透明でなくてもよく、そのため素材の選択自由度が高く、生産コストを低減できる。
【考案を実施するための最良の形態】
【０００６】
以下、添付図面を参照して本考案の好適な実施の形態を詳細に説明する。
まず、図３と図４とを参照する。本実施例の掠め取り防止機能付き樹脂製包装ケース１には、樹脂製シート１２、連接部１４、模様層１６及び被覆層１８を含む。
前記樹脂製シート１２には、互いに対応する第一表面２２と第二表面２４とを有し、また、前記樹脂製シート１２の作製材料は、ポリ塩化ビニール（ＰＶＣ）、ポリエチレン・テレフタレート（ＰＥＴ）、ポリプロピレン（ＰＰ）またはミラ（ＭＩＬＡ）のいずれでもよい。
【０００７】
前記連接部１４は、前記樹脂製シート１２の一端から伸びたシートで形成され、前記樹脂製シート１２を中空体のように曲げて粘着して品物が収納可能な内部空間を形成するために、その表面は前記樹脂製シート１２の他端の第二表面２４と連接される。
前記模様層１６は、前記樹脂製シート１２の第一表面２２に印刷される。
【０００８】
前記被覆層１８は、包装ケース１の外面の磨耗および掠め取りを防止するために、前記模様層１６の外面に硬化可能な塗料を塗布して形成され、すなわち、ポリアミンエステル（ＰＵ）系の物質とイソシアン酸系の物質とを混合して形成される化合物を硬化して形成される。
【０００９】
また、前記模様層１６は、メーカの必要によって印刷することができ、例えば、商標や商品取扱い説明等を表示したり、外観の綺麗さを向上するために文字、図形又はこれらの総合体などを印刷したりすることができ、消費者の購買慾を盛り上げることができる。
【００１０】
本実施例の掠め取り防止機能付き樹脂製包装ケース１は、硬化された被覆層１８（外層）、模様層１６（中層）及び樹脂製シート１２（内層）が外から内へ順次に積層され、硬化された被覆層１８（外層）により模様層１６（中層）と樹脂製シート１２（内層）とが保護される。
本実施例の樹脂製シート１２で形成される容器の構造は、円柱形状を呈してもよく、直方形状を呈してもよい。
【図面の簡単な説明】
【００１１】
【図１】従来の樹脂製包装ケースを示す分解斜視図である。
【図２】従来の樹脂製包装ケースが組み立てられた状態を示す斜視図である。
【図３】本考案の一実施例における掠め取り防止機能付き樹脂製包装ケースを示す分解斜視図である。
【図４】本考案の一実施例における掠め取り防止機能付き樹脂製包装ケースが組み立てられた状態を示す斜視図である。
【符号の説明】
【００１２】
１:掠め取り防止機能付き樹脂製包装ケース、１２：樹脂性シート、１４：連接部、１６：模様層、１８：被覆層、２２：第一表面、２４：第二表面、９０：樹脂製包装ケース、９１：シート、９２：粘着辺、９３：模様
【図１】
0003133974.tif 000003
【図２】
0003133974.tif 000004
【図３】
0003133974.tif 000005
【図４】
0003133974.tif 000006
【手続補正書】
【提出日】平成19年5月11日(2007.5.11)
【手続補正１】
【補正対象書類名】実用新案登録請求の範囲
【補正対象項目名】全文
【補正方法】変更
【補正の内容】
【実用新案登録請求の範囲】
【請求項１】
互いに対応する第一表面と第二表面とを有する樹脂製シートと、
前記樹脂製シートの一端から伸びたシートで形成され、前記樹脂製シートを中空体のように曲げて粘着して品物を収納可能な内部空間を形成するために、表面が前記樹脂製シートの他端の第二表面と連接される連接部と、
前記樹脂製シートの第一表面に設けられた模様層と、
前記模様層の外面に硬化可能な塗料を塗布して形成された被覆層と、
を含むことを特徴とする掠め取り防止機能付き樹脂製包装ケース。
【請求項２】
前記樹脂製シートの作製材料は、ポリ塩化ビニール、ポリエチレン・テレフタレート、ポリプロピレンの一または二以上であることを特徴とする請求項１に記載の掠め取り防止機能付き樹脂製包装ケース。
【請求項３】
前記被覆層は、ポリアミンエステル系の物質とイソシアン酸系の物質とから構成された化合物で形成されることを特徴とする請求項１又は請求項２に記載の掠め取り防止機能付き樹脂製包装ケース。
【請求項４】
前記樹脂製シートで形成される容器は円柱形状を呈することを特徴とする請求項１又は請求項２に記載の掠め取り防止機能付き樹脂製包装ケース。
【請求項５】
前記樹脂製シートで形成される容器は円柱形状を呈することを特徴とする請求項３に記載の掠め取り防止機能付き樹脂製包装ケース。
【請求項６】
前記樹脂製シートで形成される容器は直方形状を呈することを特徴とする請求項１又は請求項２に記載の掠め取り防止機能付き樹脂製包装ケース。
【請求項７】
前記樹脂製シートで形成される容器は方形状を呈することを特徴とする請求項３に記載の掠め取り防止機能付き樹脂製包装ケース。